(57)【要約】【課題】岸壁等の固定系から水中ポンプ本体を容易に取り外すことができ、水中ポンプ本体が異物を巻き込むのを防止でき、水移送管の破損を防ぐことのできる水中ポンプを提供する。【解決手段】岸壁等の固定系２に、筒体３を少なくとも下端が水面２１下に位置するように起立して設け、筒体３内に、水中ポンプ本体５と水中ポンプ本体５に接続された水移送管７とを有するポンプユニット４を上方から挿抜自在に挿入して設けたものである。【選択図】        図１
2004360638.tif 000002
【特許請求の範囲】
【請求項１】
岸壁等の固定系に、筒体を少なくとも下端が水面下に位置するように起立して設け、該筒体内に、水中ポンプ本体と該水中ポンプ本体に接続された水移送管とを有するポンプユニットを上方から挿抜自在に挿入して設けたことを特徴とする水中ポンプ。
【請求項２】
上記筒体に、上記水中ポンプ本体への水の流れを円滑にすると共に筒体内への異物の侵入を防ぐための通水孔を形成した請求項１記載の水中ポンプ。
【請求項３】
上記筒体を、水面上まで延ばすように上記固定系に設けた請求項１又は２記載の水中ポンプ。
【請求項４】
上記ポンプユニットは、上記筒体の上端に係合してポンプユニットの降下を規制する鍔部を有し、上記筒体に、上記ポンプユニットの径方向の移動を規制するための振れ止めを設けた請求項１〜３いずれかに記載の水中ポンプ。
【発明の詳細な説明】
【０００１】
【発明の属する技術分野】
本発明は、岸壁等に設置する水中ポンプに関するものである。
【０００２】
【従来の技術】
一般に岸壁等の固定系に設置する水中ポンプは、図５に示すように岸壁２にアンカーボルト（図示せず）と支持部材３０とを介して水中ポンプ本体５を設置するタイプのものや、図６に示すように海中に沈めたコンクリート成型物３１等にアンカーボルト（図示せず）と支持部材３２とを介して水中ポンプ本体５を設置するタイプのものや、図７に示すように岸壁２に沖へ向かって延びるアーム３３を設け、このアーム３３に支持部材３４を介して水中ポンプ本体５を設置するタイプのものが知られている。
【０００３】
【特許文献１】
実開昭５４−１３２１９６号公報
【特許文献２】
特開２０００−２８８５７５号公報
【特許文献３】
特許第３２９２５４７号公報
【０００４】
【発明が解決しようとする課題】
ところで、水中ポンプ本体５は常に水に接しているため、腐食が陸上設置の場合よりも促進されやすく、頻繁にポンプ本体５をメンテナンスしたり、交換する必要がある。しかしながら、上述した従来の水中ポンプは、ポンプ本体５をメンテナンス等する度に潜水してポンプ本体５を岸壁２等から取り外さなくてはならず、大きな労力と、コストと、時間とを要するという課題があった。
【０００５】
そして、水中で運転するポンプ本体５は、その回転機構に異物が噛み込まれると致命的なダメージを受ける可能性があるが、設置場所を水底（海底）近くにすれば水底から巻き上がる小石や砂を巻き込み易く、水面近くに設置すれば水面付近の浮遊物（ごみや海草類）を巻き込み易いという課題があった。
【０００６】
そしてさらに、ポンプ本体５に接続される揚水用の水移送管を海中に露出させておくため、水移送管が波の力などを受けて破損する場合があるという課題があった。
【０００７】
そこで、本発明の目的は、上記課題を解決し、岸壁等の固定系から水中ポンプ本体を容易に取り外すことができ、水中ポンプ本体が異物を巻き込むのを防止でき、水移送管の破損を防ぐことのできる水中ポンプを提供することにある。
【０００８】
なお、図８に示すように、特許文献１には海洋浮遊構造物３５に上下に貫通する通路３６を形成すると共に、筒体３７内に水中ポンプ本体３８や水移送管３９等を固定し、通路３６内に筒体３７を挿入して設置する水中ポンプ４０が記載されているが、この水中ポンプ４０は海洋浮遊構造物３５に設置する水中ポンプの個数を減らすために水中ポンプ本体３８を筒体３７ごと他の通路３６に移動して使い回すものであり、上述した本願発明の課題を解決しようとするものではない。また、筒体３７内に水中ポンプ本体３８や水移送管３９等を固定する点で後述する本願発明と相違する。
【０００９】
【課題を解決するための手段】
上記目的を達成するために本発明は、岸壁等の固定系に、筒体を少なくとも下端が水面下に位置するように起立して設け、該筒体内に、水中ポンプ本体と該水中ポンプ本体に接続された水移送管とを有するポンプユニットを上方から挿抜自在に挿入して設けたものである。
【００１０】
そして、上記筒体に、上記水中ポンプ本体への水の流れを円滑にすると共に筒体内への異物の侵入を防ぐための通水孔を形成するとよい。
【００１１】
また、上記筒体を、水面上まで延ばすように上記固定系に設けるとよい。
【００１２】
そして、上記ポンプユニットは、上記筒体の上端に係合してポンプユニットの降下を規制する鍔部を有し、上記筒体に、上記ポンプユニットの径方向の移動を規制するための振れ止めを設けるとよい。
【００１３】
【発明の実施の形態】
本発明の好適実施の形態を添付図面に基づいて詳述する。
【００１４】
図１に示すように、水中ポンプ１は、固定系たる岸壁２に起立して設けられた筒体３と、筒体３内に上方から挿抜自在に挿入して設けられたポンプユニット４とを備えて構成されている。
【００１５】
図１及び図２に示すように、ポンプユニット４は、回転機構（図示せず）を有し海水を吸引する水中ポンプ本体５と、水中ポンプ本体５の吐出口６に接続され揚水するための水移送管７と、水移送管７に設けられ筒体３の上端に係合してポンプユニット４の降下を規制する鍔部８とを備えて構成されている。水中ポンプ本体５は、吐出口６を上方へ向けて水移送管７に吊り下げられたときに下方へ向く取水口９を有し、取水口９には、大きな異物を漉すための漉し部材１０が設けられている。漉し部材１０は、水中ポンプ本体５よりも小径の筒体状に形成されており、外周に水を取り込むための多数の孔１１を有する。
【００１６】
水移送管７は、一端を水中ポンプ本体５の吐出口６に接続され直線状に延びる起立部１２と、起立部１２の他端に接続され管の延長方向を上下から水平方向に変えるべく屈曲されたエルボ部１３とを備えて構成されている。エルボ部１３は、岸壁２の上に設けられる陸上送水管１４と着脱可能に接続するためのフランジ１５を有する。鍔部８は、板状に形成されており、起立部１２の他端側（上部）に径方向外方へ延びて設けられている。
【００１７】
筒体３は断面円形のパイプからなり、少なくとも上端を常に海面２１上に延ばすと共に下端を常に海面２１下に延ばすように長さと設置位置とを決定されている。そして、筒体３は、岸壁２に設けたアンカーボルト（図示せず）と、アンカーボルトに締結された支持部材１６とを介して岸壁２の壁面に固定されている。アンカーボルトは、岸壁２の壁面に高さ方向に所定の間隔を隔てて複数設けられている。支持部材１６は筒体３の外周に上端から下端近傍にかけてアンカーボルト同士の間隔と等しい間隔で複数設けられており、それぞれアンカーボルトに締結されるようになっている。また特に、最も上方に位置される支持部材１６は、上端面を筒体３の上端に揃えるように配置されており、ポンプユニット４の鍔部８を筒体３と共に支持するようになっている。
【００１８】
また、筒体３の外周には水中ポンプ本体５への水の流れを円滑にすると共に筒体３内への異物の侵入を防ぐための通水孔１７が形成されている。通水孔１７は水中ポンプ本体５の取水口９の近傍と、この位置から上方へ離間した複数の高さ位置とに多段に形成されている。通水孔１７は、それぞれ筒体３の軸方向に延びるスリット状に形成されており、各段の位置に周方向に略等間隔に離間して複数形成されている。そして特に、水中ポンプ本体５の上方に形成される通水孔１７は、筒体３内に海水を通すことで筒体３内の水位を海面２１と同じ高さとする機能を有し、筒体３が水位差による上下方向の力を受けないようになっている。
【００１９】
図２及び図３に示すように、筒体３の下端近傍には、ポンプユニット４の径方向の移動を規制するための振れ止め１８が設けられている。振れ止め１８は、ポンプユニット４の下端部（具体的には漉し部材１０）を挿抜自在に収容すべく断面多角形に形成された筒状の支持枠１９と、支持枠１９の上端を筒体３に取り付ける接続板２０とからなり、水中ポンプ本体５を筒体３内に設置したときに漉し部材１０の外周を微小間隔を隔てて囲うようになっている。支持枠１９は、断面正八角形に形成されており、上方から漉し部材１０を挿入させるようになっている。また、接続板２０は、水中ポンプ本体５を着座させるようになっており、鍔部８と共にポンプユニット４の下方への移動を規制するようになっている。
【００２０】
次に本実施の形態の作用を述べる。
【００２１】
図１に示すように岸壁２に水中ポンプ１を設置する場合、まず、岸壁２に筒体３を取り付けると共に、水中ポンプ本体５の吐出口６に、予め鍔部８を取り付けた水移送管７を接続してポンプユニット４を形成する。筒体３の取り付け作業は、岸壁２に設けたアンカーボルトに予め筒体３に取り付けた支持部材１６を締結することで行う。また、水移送管７は、陸上送水管１４と分離した状態で水中ポンプ本体５に接続する。
【００２２】
つぎに、図４に示すように、筒体３内にポンプユニット４を上方から挿入して設置する。この作業は、水中ポンプ本体５を下端に位置させるように水移送管７の他端側（エルボ部１３側）をワイヤロープ２２等で吊り、水中ポンプ本体５側から筒体３内に挿入することで行う。筒体３は海面２１上に延びているため、筒体３にポンプユニット４を容易に挿入することができる。水中ポンプ本体５を筒体３の下端近傍まで挿入すると、水中ポンプ本体５の下端に設けられた漉し部材１０が図２及び図３に示す接続板２０に当たる。このような状態となったら、ポンプユニット４の位置を適宜径方向にずらして漉し部材１０を支持枠１９内に挿入させるように漉し部材１０の位置を調整する。支持枠１９は断面多角形状に形成されているため、漉し部材１０を容易に挿入することができる。そして、図２に示すように水中ポンプ本体５が接続板２０に着座すると、これと同時に図１に示す鍔部８が、支持部材１６と筒体３とに当たり、ポンプユニット４の挿入方向への移動が規制される。
【００２３】
この後、水移送管７に陸上送水管１４をフランジ接続することで水中ポンプ１の設置が完了する。
【００２４】
水中ポンプ本体５は、海面２１上まで延びる筒体３に外周を覆われており、筒体３には水の流れを許容しつつ異物の侵入を防ぐための通水孔１７が形成されているため、浮遊物、小石及び砂等の異物を巻き込むことなく海水のみを円滑に汲み上げることができる。特に、筒体３は海面２１上まで延びているため、海面２１付近の浮遊物が筒体３の上端開口から筒体３内に入ることもない。また、通水孔１７が海水を通すことで筒体３内の水位は海面２１と同じ高さとなるため、筒体３内の水位が海面２１より低くなって筒体３に浮力が生じたり、筒体３内の水位が海面２１より高くなって筒体３に沈む力が生じたりすることはなく、筒体３及び支持部材１６の破損を防ぐことができる。
【００２５】
水中ポンプ本体５をメンテナンスや交換等すべく陸揚げする場合は、水移送管７を陸上送水管１４から取り外し、水移送管７を筒体３に沿って上方へ引き上げる。このとき、ポンプユニット４は、筒体３側に鍔部８と水中ポンプ本体５とを着座させているだけであるため、図４に示すようにワイヤロープ２２等で水移送管７を吊り上げることで容易に引き上げることができる。
【００２６】
このように、固定系たる岸壁２に、筒体３を少なくとも下端が海面２１下に位置するように起立して設け、筒体３内に、水中ポンプ本体５と水中ポンプ本体５に接続された水移送管７とを有するポンプユニット４を上方から挿抜自在に挿入して設けたため、潜水作業など多大な労力とコストと時間とを要する作業を行わなくとも陸上送水管１４からポンプユニット４を取り外して引き上げるだけで容易に水中ポンプ本体５を陸揚げすることができる。
【００２７】
また、筒体３で水移送管７を囲うため、水移送管７が波の力などを受けて破損するのを防ぐことができる。
【００２８】
また、筒体３に、水中ポンプ本体５への水の流れを円滑にすると共に筒体３内への異物の侵入を防ぐための通水孔１７を形成したため、水中ポンプ本体５への水の供給を十分確保しながら水中ポンプ本体５が異物を巻き込むのを防止できる。
【００２９】
そして、岸壁２に筒体３を海面２１上まで延ばすように設けたため、筒体３へのポンプユニット４の挿抜を容易なものにできると共に、海面２１付近の浮遊物が筒体３内に入るのを防ぐことができる。
【００３０】
また、ポンプユニット４は、筒体３の上端に係合してポンプユニット４の降下を規制する鍔部８を有するものとし、筒体３に、ポンプユニット４の径方向の移動を規制するための振れ止め１８を設けたため、ポンプユニット４の下方への移動と水平方向への移動とを容易かつ確実に規制することができる。
【００３１】
なお、筒体３は断面円形としたが、これに限るものではなく、例えば矩形や多角形等他の断面形状であってもよい。
【００３２】
また、支持枠１９は断面正八角形としたが、これに限るものではない。例えば角の数が極めて多いほぼ円であってもよい。
【００３３】
そして、支持部材１６は筒体３の上端から下端近傍にかけて設けるものとしたが、これに限るものではない。筒体３の長さが比較的短い場合など強度に十分余裕がある場合は筒体３の上部のみに支持部材１６を設けるものとしてもよい。
【００３４】
また、鍔部８を筒体３の上端開口より広い板状に形成し、鍔部８で筒体３の上端開口を塞ぐようにしてもよい。異物が上空から筒体３内に落下するのを防ぐことができる。
【００３５】
そして、筒体３は常に海面２１上まで延びるように岸壁２に設けるものとしたが、ポンプユニット４の挿抜に支障がない程度であれば海面２１下にあってもよい。この場合、上述のように鍔部８を筒体３の上端開口より広い板状に形成し、浮遊物等が筒体３の上端開口から入らないようにするとよい。
【００３６】
また、ポンプユニット４の水中ポンプ本体５は接続板２０上に着座するものとしたが、接続板２０の上方に離間させておくものとしてもよい。
【００３７】
そして、ポンプユニット４は、ワイヤロープ２２等で吊り上げるものとしたが、手で直接引き上げてもよい。
【００３８】
【発明の効果】
以上要するに本発明によれば、岸壁等の固定系から水中ポンプ本体を容易に取り外すことができる。
【図面の簡単な説明】
【図１】本発明の好適実施の形態を示す水中ポンプの側面図である。
【図２】図１の要部拡大断面図である。
【図３】図２のＩＩＩ−ＩＩＩ線矢視断面図である。
【図４】筒体にポンプユニットを挿入している状態の側面図である。
【図５】従来の水中ポンプの側面図である。
【図６】従来の水中ポンプの側面図である。
【図７】従来の水中ポンプの側面図である。
【図８】従来の水中ポンプの側断面図である。
【符号の説明】
１  水中ポンプ
２  岸壁（固定系）
３  筒体
４  ポンプユニット
５  水中ポンプ本体
７  水移送管
８  鍔部
１７  通水孔
１８  振れ止め
２１  水面
【図１】
2004360638.tif 000003
【図２】
2004360638.tif 000004
【図３】
2004360638.tif 000005
【図４】
2004360638.tif 000006
【図５】
2004360638.tif 000007
【図６】
2004360638.tif 000008
【図７】
2004360638.tif 000009
【図８】
2004360638.tif 000010